(57)【要約】【課題】  非同期符号分割多重接続（ＣＤＭＡ）通信システムにおいて、向上した上りリンク専用伝送チャンネル（Ｅ−ＤＣＨ）を介したパケットデータサービスを支援する環境で、基地局制御スケジューリングを使用するのに必要なスケジューリング情報を含むＭＡＣ−ｅＰＤＵを伝送する場合、Ｅ−ＤＣＨのＨＡＲＱによって発生する遅延時間を最小化するための電力設定方法を開示する。【解決手段】  端末機（ＵＥ）は、Ｅ−ＤＣＨを介して伝送するためのパケットデータを生成し、パケットデータのサービス品質（ＱｏＳ）及びパケットデータにシグナリング情報が含まれているか否かを判断し、パケットデータの各ＱｏＳに従ってあらかじめ設定された電力利得を設定し、パケットデータにシグナリング情報が含まれている場合、設定された電力利得にあらかじめ決定されたオフセット値を適用した後、オフセット値が適用された電力利得に従ってパケットデータをＥ−ＤＣＨを介して伝送する。【選択図】  図６
2005323367.tif 000002
【特許請求の範囲】
【請求項１】
通信システムにおいて、向上した上りリンクパケットデータサービスのためのシグナリング情報を伝送する方法であって、
前記向上した上りリンクパケットデータサービスのためのシグナリング情報を含み、前記向上した上りリンク専用チャンネル（Ｅ−ＤＣＨ）を介して伝送する媒体アクセス制御プロトコルデータユニット（ＭＡＣ−ｅＰＤＵ）を生成するステップと、
前記ＭＡＣ−ｅＰＤＵを伝送するための伝送フォーマットに相応する第１の電力利得にあらかじめ決定された電力オフセットを適用して第２の電力利得を設定するステップと、
前記第２の電力利得を用いて前記ＭＡＣ−ｅＰＤＵを前記向上した上りリンク専用チャンネルを介して伝送するステップと
を含むことを特徴とする方法。
【請求項２】
前記シグナリング情報は、
前記向上した上りリンク専用チャンネルのスケジューリングに使用される端末機のバッファ状態及び伝送電力状態のうちの少なくとも１つを含むことを特徴とする請求項１記載の方法。
【請求項３】
前記第１の電力利得は、
前記ＭＡＣ−ｅＰＤＵに含まれたパケットデータの大きさ及び／又は要求されたサービス品質（ＱｏＳ）に従って設定されることを特徴とする請求項１記載の方法。
【請求項４】
前記ＭＡＣ−ｅＰＤＵが前記シグナリング情報を含まない場合、前記第１の電力利得を用いて前記シグナリング情報を含まない前記ＭＡＣ−ｅＰＤＵを前記向上した上りリンク専用チャンネルを介して伝送するステップをさらに含むことを特徴とする請求項３記載の方法。
【請求項５】
前記第２の電力利得は、
前記第１の電力利得に下記式(1)に従って前記電力オフセットを加算して設定されることを特徴とする請求項３記載の方法。
【数１】
2005323367.tif 000009
ここで、式(2)は、前記ＭＡＣ−ｅ ＰＤＵの伝送ブロック大きさ（ＴＢＳ）に該当する前記第１の電力利得を示す利得因子であり、式(3)は、前記第２の電力利得を示す利得因子であり、式(4)は、前記電力オフセットである。
【請求項６】
前記ＭＡＣ−ｅＰＤＵが前記向上した上りリンク専用チャンネルとは異なる物理制御チャンネルを介して前記シグナリング情報を含むか否かを示すシグナリング指示子を伝送するステップをさらに含むことを特徴とする請求項１記載の方法。
【請求項７】
通信システムにおいて、向上した上りリンクパケットデータサービスのためのシグナリング情報を伝送する装置であって、
前記向上した上りリンクパケットデータサービスのためのシグナリング情報を含み、前記向上した上りリンク専用チャンネル（Ｅ−ＤＣＨ）を介して伝送される媒体アクセス制御プロトコルデータユニット（ＭＡＣ−ｅＰＤＵ）を生成するパケットデータ生成器と、
前記ＭＡＣ−ｅＰＤＵを伝送するための伝送フォーマットに相応する第１の電力利得にあらかじめ決定された電力オフセットを適用して、第２の電力利得を設定する利得因子決定器と、
前記第２の電力利得を用いて前記ＭＡＣ−ｅＰＤＵを前記向上した上りリンク専用チャンネルを介して伝送するデータチャンネル送信器と
を含むことを特徴とする装置。
【請求項８】
前記シグナリング情報は、
前記向上した上りリンク専用チャンネルのスケジューリングに使用される端末機のバッファ状態及び伝送電力状態のうちの少なくとも１つを含むことを特徴とする請求項７記載の装置。
【請求項９】
前記利得因子決定器は、
前記ＭＡＣ−ｅＰＤＵに含まれたパケットデータの大きさ及び／又は要求されたサービス品質（ＱｏＳ）に従って前記第１の電力利得を示す利得因子を設定することを特徴とする請求項７記載の装置。
【請求項１０】
前記利得因子決定器は、
前記ＭＡＣ−ｅＰＤＵが前記シグナリング情報を含まない場合、前記第１の電力利得を前記データチャンネル送信器へ提供することを特徴とする請求項９記載の装置。
【請求項１１】
前記利得因子決定器は、
前記第１の電力利得に下記式(5)に従って前記電力オフセットを加算して前記第２の電力利得を示す利得因子を設定し、前記第２の電力利得を示す利得因子を前記データチャンネル送信器へ提供することを特徴とする請求項９記載の装置。
【数２】
2005323367.tif 000010
ここで、式(6)は、前記ＭＡＣ−ｅ ＰＤＵの伝送ブロック大きさ（ＴＢＳ）に該当する前記第１の電力利得を示す利得因子であり、式(7)は、前記第２の電力利得を示す利得因子であり、式(8)は、前記電力オフセットである。
【請求項１２】
前記ＭＡＣ−ｅＰＤＵが前記向上した上りリンク専用チャンネルとは異なる物理制御チャンネルを介して前記シグナリング情報を含むか否かを示すシグナリング指示子を伝送する制御チャンネル送信器をさらに含むことを特徴とする請求項７記載の装置。
【請求項１３】
通信システムにおいて、向上した上りリンクパケットデータサービスのためのシグナリング情報を受信する方法であって、
向上した上りリンク専用チャンネル（Ｅ−ＤＣＨ）を介して媒体アクセス制御プロトコルデータユニット（ＭＡＣ−ｅＰＤＵ）を受信するステップと、
前記ＭＡＣ−ｅＰＤＵが前記シグナリング情報を含むか否かを判断するステップと、
前記ＭＡＣ−ｅＰＤＵが前記シグナリング情報を含む場合、前記ＭＡＣ−ｅＰＤＵから前記シグナリング情報を検出するステップと、
前記シグナリング情報を用いて前記向上した上りリンク専用チャンネルのスケジューリングを遂行するステップと
を含み、
前記ＭＡＣ−ｅＰＤＵが前記上りリンクパケットデータサービスのためのシグナリング情報を含まない場合、前記ＭＡＣ−ｅＰＤＵは、前記ＭＡＣ−ｅＰＤＵを伝送する前記向上した上りリンク専用チャンネルの伝送フォーマットに相応する前記第１の電力利得で受信され、前記ＭＡＣ−ｅＰＤＵが前記シグナリング情報を含む場合、前記ＭＡＣ−ｅＰＤＵは、前記第１の電力利得にあらかじめ決定された電力オフセットを加算した前記第２の電力利得で受信されることを特徴とする方法。
【請求項１４】
前記シグナリング情報は、
前記向上した上りリンク専用チャンネルのスケジューリングに使用される端末機のバッファ状態及び伝送電力状態のうちの少なくとも１つを含むことを特徴とする請求項１３記載の方法。
【請求項１５】
前記第１の電力利得は、
前記ＭＡＣ−ｅＰＤＵに含まれたパケットデータの大きさ及び／又は要求されたサービス品質（ＱｏＳ）に従って設定されることを特徴とする請求項１３記載の方法。
【請求項１６】
前記第２の電力利得は、
前記第１の電力利得に下記式(9)に従って前記電力オフセットを加算して設定されることを特徴とする請求項１５記載の方法。
【数３】
2005323367.tif 000011
ここで、式(10)は、前記ＭＡＣ−ｅ ＰＤＵの伝送ブロック大きさ（ＴＢＳ）に該当する前記第１の電力利得を示す利得因子であり、式(11)は、前記第２の電力利得を示す利得因子であり、式(12)は、前記電力オフセットである。
【請求項１７】
前記ＭＡＣ−ｅＰＤＵが前記向上した上りリンク専用チャンネルとは異なる物理制御チャンネルを介して前記シグナリング情報を含むか否かを示すシグナリング指示子を受信するステップをさらに含むことを特徴とする請求項１３記載の方法。
【請求項１８】
通信システムにおいて、向上した上りリンク専用チャンネルを介してシグナリング情報を受信する装置であって、
前記向上した上りリンク専用チャンネル（Ｅ−ＤＣＨ）を介して媒体アクセス制御プロトコルデータユニット（ＭＡＣ−ｅＰＤＵ）を受信するデータチャンネル受信器と、
前記ＭＡＣ−ｅＰＤＵが前記シグナリング情報を含むか否かを判断して、前記ＭＡＣ−ｅＰＤＵが前記シグナリング情報を含む場合、前記ＭＡＣ−ｅＰＤＵから前記シグナリング情報を検出するシグナリング情報検出器と、
前記シグナリング情報を用いて前記上りリンク専用チャンネルのスケジューリングを遂行するスケジューラーと
を含み、
前記ＭＡＣ−ｅＰＤＵが前記上りリンクパケットデータサービスのためのシグナリング情報を含まない場合、前記ＭＡＣ−ｅＰＤＵは、前記ＭＡＣ−ｅＰＤＵを伝送する前記向上した上りリンク専用チャンネルの伝送フォーマットに相応する前記第１の電力利得で受信され、前記ＭＡＣ−ｅＰＤＵが前記シグナリング情報を含む場合、前記ＭＡＣ−ｅＰＤＵは、前記第１の電力利得に電力オフセットが加算された前記第２の電力利得で受信されることを特徴とする装置。
【請求項１９】
前記シグナリング情報は、
前記向上した上りリンク専用チャンネルのスケジューリングに使用されるバッファ状態及び電力状態のうちの１つを含むことを特徴とする請求項１８記載の装置。
【請求項２０】
前記第１の電力利得は、
前記ＭＡＣ−ｅＰＤＵに含まれるパケットデータの大きさ及び／又は要求されるサービス品質（ＱｏＳ）に従って設定されることを特徴とする請求項１８記載の装置。
【請求項２１】
前記第２の電力利得は、
前記第１の電力利得に下記式に従って前記電力オフセットを加算して設定されることを特徴とする請求項１８記載の装置。
【数４】
2005323367.tif 000012
ここで、式(14)は、前記ＭＡＣ−ｅ ＰＤＵの伝送ブロック大きさ（ＴＢＳ）に該当する前記第１の電力利得を示す利得因子であり、式(15)は、前記第２の電力利得を示す利得因子であり、式(16)は、前記電力オフセットである。
【請求項２２】
前記ＭＡＣ−ｅＰＤＵが前記シグナリング情報を含むか否かを示すシグナリング指示子を前記向上した上りリンク専用チャンネルとは異なる物理制御チャンネルを介して受信し、前記シグナリング指示子を前記シグナリング情報検出器へ提供する制御チャンネル受信器をさらに含むことを特徴とする請求項１８記載の装置。
【請求項２３】
通信システムにおいて、向上した上りリンクパケットデータサービスのためのシグナリング情報を伝送する方法であって、
向上した上りリンク専用チャンネル（Ｅ−ＤＣＨ）を介して伝送される媒体アクセス制御プロトコルデータユニット（ＭＡＣ−ｅＰＤＵ）を生成するステップと、
前記ＭＡＣ−ｅＰＤＵのサービス品質（ＱｏＳ）を考慮して前記ＭＡＣ−ｅＰＤＵの伝送フォーマットに相応する電力利得を設定するステップと、
前記設定された電力利得を用いて前記ＭＡＣ−ｅＰＤＵを前記向上した上りリンク専用チャンネル（Ｅ−ＤＣＨ）を介して伝送するステップと
を含むことを特徴とする方法。
【請求項２４】
前記ＭＡＣ−ｅＰＤＵは、
前記向上した上りリンクパケットデータサービスのためのシグナリング情報を含み、前記シグナリング情報は、前記向上した上りリンク専用チャンネルのスケジューリングに使用される端末機のバッファ状態及び伝送電力状態のうちの少なくとも１つを含むことを特徴とする請求項２３記載の方法。
【請求項２５】
前記電力利得を設定するステップは、
前記ＭＡＣ−ｅＰＤＵが前記シグナリング情報を含むか否かを確認するステップと、
前記ＭＡＣ−ｅＰＤＵが前記シグナリング情報を含む場合、前記シグナリング情報を伝送するためのサービス品質（ＱｏＳ）に割り当てられた電力利得を選択するステップと、
前記ＭＡＣ−ｅＰＤＵが前記シグナリング情報を含まない場合、前記ＭＡＣ−ｅＰＤＵに含まれるパケットデータの大きさ及び要求されるサービス品質（ＱｏＳ）に割り当てられた電力利得を選択するステップと
を含むことを特徴とする請求項２３記載の方法。
【請求項２６】
ＭＡＣ−ｅＰＤＵのサービス品質（ＱｏＳ）を示す識別子を前記向上した上りリンク専用チャンネルとは異なる物理制御チャンネルを介して伝送するステップをさらに含むことを特徴とする請求項２３記載の方法。
【請求項２７】
通信システムにおいて、向上した上りリンクパケットデータサービスのためのシグナリング情報を伝送する装置であって、
向上した上りリンク専用チャンネル（Ｅ−ＤＣＨ）を介して伝送される媒体アクセス制御プロトコルデータユニット（ＭＡＣ−ｅＰＤＵ）を生成するパケットデータ生成器と、
前記ＭＡＣ−ｅＰＤＵのサービス品質（ＱｏＳ）を考慮して前記ＭＡＣ−ｅＰＤＵの伝送フォーマットに相応する電力利得を設定する利得因子決定器と、
前記設定された電力利得を用いて、前記ＭＡＣ−ｅＰＤＵを前記向上した上りリンク専用チャンネル（Ｅ−ＤＣＨ）を介して伝送するデータチャンネル送信器と
を含むことを特徴とする方法。
【請求項２８】
前記ＭＡＣ−ｅＰＤＵは、
前記向上した上りリンクパケットデータサービスのためのシグナリング情報を含み、前記シグナリング情報は、前記向上した上りリンク専用チャンネルのスケジューリングに使用される端末機のバッファ状態及び伝送電力状態のうちの少なくとも１つを含むことを特徴とする請求項２７記載の装置。
【請求項２９】
前記利得因子決定器は、
前記ＭＡＣ−ｅＰＤＵが前記シグナリング情報を含むか否かを確認し、前記ＭＡＣ−ｅＰＤＵが前記シグナリング情報を含む場合、前記シグナリング情報を伝送するためのサービス品質（ＱｏＳ）に割り当てられた電力利得を選択し、前記ＭＡＣ−ｅＰＤＵが前記シグナリング情報を含まない場合、前記ＭＡＣ−ｅＰＤＵに含まれたパケットデータの大きさ及び要求されたサービス品質（ＱｏＳ）に割り当てられた電力利得を選択することを特徴とする請求項２７記載の装置。
【請求項３０】
ＭＡＣ−ｅＰＤＵのサービス品質（ＱｏＳ）を示す識別子を前記向上した上りリンク専用チャンネルとは異なる物理制御チャンネルを介して伝送する制御チャンネル送信器をさらに含むことを特徴とする請求項２７記載の装置。
【請求項３１】
通信システムにおいて、向上した上りリンクパケットデータサービスのためのシグナリング情報を受信する方法であって、
前記向上した上りリンク専用チャンネル（Ｅ−ＤＣＨ）を介して媒体アクセス制御プロトコルデータユニット（ＭＡＣ−ｅＰＤＵ）を受信するステップと、
前記ＭＡＣ−ｅＰＤＵが前記シグナリング情報を含むか否かを判断するステップと、
前記ＭＡＣ−ｅＰＤＵが前記シグナリング情報を含む場合、前記ＭＡＣ−ｅＰＤＵから前記シグナリング情報を検出するステップと、
前記シグナリング情報を用いて前記向上した上りリンク専用チャンネルのスケジューリングを遂行するステップと
を含み、
前記ＭＡＣ−ｅＰＤＵは、前記ＭＡＣ−ｅＰＤＵの伝送フォーマットに相応し、前記ＭＡＣ−ｅＰＤＵのＱｏＳを考慮して設定された電力利得で受信されることを特徴とする方法。
【請求項３２】
前記シグナリング情報は、
前記向上した上りリンク専用チャンネルのスケジューリングに使用される端末機のバッファ状態及び伝送電力状態のうちの少なくとも１つを含むことを特徴とする請求項３１記載の方法。
【請求項３３】
前記ＭＡＣ−ｅＰＤＵは、
前記ＭＡＣ−ｅＰＤＵが前記シグナリング情報を含む場合、前記シグナリング情報を伝送するためのサービス品質（ＱｏＳ）に割り当てられた電力利得を有し、前記ＭＡＣ−ｅＰＤＵが前記シグナリング情報を含まない場合、前記ＭＡＣ−ｅＰＤＵに含まれたパケットデータの大きさ及び要求されたサービス品質（ＱｏＳ）に割り当てられた電力利得を有することを特徴とする請求項３１記載の方法。
【請求項３４】
前記ＭＡＣ−ｅＰＤＵのサービス品質（ＱｏＳ）を示す識別子を前記向上した上りリンク専用チャンネルとは異なる物理制御チャンネルを介して受信するステップをさらに含むことを特徴とする請求項３１記載の方法。
【請求項３５】
通信システムの端末機において、向上した上りリンク専用チャンネルを介してシグナリング情報を受信する装置であって、
前記向上した上りリンク専用チャンネルを介して媒体アクセス制御プロトコルデータユニット（ＭＡＣ−ｅＰＤＵ）を受信するデータチャンネル受信器と、
前記ＭＡＣ−ｅＰＤＵが前記シグナリング情報を含むか否かを判断して、前記ＭＡＣ−ｅＰＤＵが前記シグナリング情報を含む場合、前記ＭＡＣ−ｅＰＤＵから前記シグナリング情報を検出するシグナリング情報検出器と、
前記シグナリング情報を用いて前記向上した上りリンク専用チャンネルのスケジューリングを遂行するスケジューラーと
を含み、
前記ＭＡＣ−ｅＰＤＵは、前記ＭＡＣ−ｅＰＤＵの伝送フォーマットに相応し、前記ＭＡＣ−ｅＰＤＵのサービス品質（ＱｏＳ）に基づいて設定された電力利得で受信されることを特徴とする装置。
【請求項３６】
前記シグナリング情報は、
前記向上した上りリンク専用チャンネルのスケジューリングに使用される端末機のバッファ状態及び伝送電力状態のうちの少なくとも１つを含むことを特徴とする請求項３５記載の装置。
【請求項３７】
前記ＭＡＣ−ｅＰＤＵは、
前記ＭＡＣ−ｅＰＤＵが前記シグナリング情報を含む場合、前記シグナリング情報を伝送するためのサービス品質（ＱｏＳ）に割り当てられた電力利得を有し、前記ＭＡＣ−ｅＰＤＵが前記シグナリング情報を含まない場合、前記ＭＡＣ−ｅＰＤＵに含まれたパケットデータの大きさ及び要求されたサービス品質（ＱｏＳ）に割り当てられた電力利得を有することを特徴とする請求項３５記載の装置。
【請求項３８】
ＭＡＣ−ｅＰＤＵのサービス品質（ＱｏＳ）を示す識別子を前記向上した上りリンク専用チャンネルとは異なる物理制御チャンネルを介して受信し、前記識別子を前記シグナリング情報検出器へ提供する制御チャンネル受信器をさらに含むことを特徴とする請求項３５記載の装置。
【発明の詳細な説明】
【技術分野】
【０００１】
本発明は、セルラー符号分割多重接続（Code Division Multiple Access：ＣＤＭＡ）通信システムに関し、特に、向上した上りリンク専用チャンネル（Enhanced Uplink Dedicated transport Channel）を使用して、シグナリング情報を効率的に伝送するために電力利得を設定する方法及び装置に関する。
【背景技術】
【０００２】
ヨーロッパ移動通信システムである移動体通信用グローバルシステム（Global System for Mobile Communications；ＧＳＭ）及び一般パケットラジオサービス（General Packet Radio Services；ＧＰＲＳ）に基づき、広帯域（Wideband）符号分割多重接続（Code Division Multiple Access；以下、ＣＤＭＡと称する）を使用する第３世代移動通信システムであるユニバーサル移動体通信サービス（Universal Mobile Telecommunication Service；ＵＭＴＳ）システムは、移動電話又はコンピュータユーザが世界中のどこにいるかに関係なく、パケットに基づくテキスト、ディジタル化された音声又はビデオ、及びマルチメディアデータを２Ｍｂｐｓ以上の高速で伝送することができる一貫したサービスを提供する。ＵＭＴＳは、インタネットプロトコル（Internet Protocol；ＩＰ）のようなパケットプロトコルを使用するパケット交換方式の接続という意味を含む仮想接続の概念を使用し、ネットワーク内の他のどの終端でも常に接続することができる。
【０００３】
特に、ＵＭＴＳシステムは、使用者端末機（User Equipment；ＵＥ）から基地局（Base Station；ＢＳ又はＮｏｄｅ Ｂ）への逆方向、すなわち、上りリンク（Uplink：ＵＬ）通信において、パケット伝送の性能を向上させるために、向上した上りリンク専用チャンネル（Enhanced Uplink Dedicated Channel；以下、ＥＵＤＣＨ又はＥ−ＤＣＨと称する）を使用する。Ｅ−ＤＣＨは、さらに安定した高速のデータ伝送を支援するために、適応変調符号化（Adaptive Modulation and Coding；ＡＭＣ）、複合自動再伝送要求（Hybrid Automatic Retransmission Request；ＨＡＲＱ）、及び基地局制御スケジューリング（Node B controlled Scheduling）のような技術を支援する。
【０００４】
ＡＭＣは、基地局とＵＥとの間のチャンネル状態に従ってデータチャンネルの変調方式及びコーディング方式を決定することによって、資源の使用効率を向上させる技術である。変調方式とコーディング方式との組合せは、ＭＣＳ（Modulation and Coding Scheme）と呼ばれ、支援可能な変調方式及びコーディング方式に従って多様なＭＣＳレベルが定義されることができる。ＡＭＣは、ＭＣＳのレベルをＵＥと基地局との間のチャンネル状態に従って適応的に決定することによって、資源の使用効率を向上させる。
【０００５】
基地局制御スケジューリングに従って、基地局は、Ｅ−ＤＣＨを用いてデータを伝送する場合、上りリンクデータが伝送されるか否か、そして可能なデータ伝送率の上限値を決定し、上記決定された情報をスケジューリング割当て情報としてＵＥへ伝送すると、ＵＥは、上記スケジューリング割当て情報を参照して可能な上りリンクＥ−ＤＣＨのデータ伝送率を決定する。
【０００６】
図１は、従来の無線通信システムにおいて、Ｅ−ＤＣＨを介した上りリンクパケット伝送を示す図である。図１において、参照番号１１０は、Ｅ−ＤＣＨを支援する基地局、すなわち、基地局を示し、参照番号１０１から１０４は、Ｅ−ＤＣＨを使用しているＵＥを示す。ＵＥ１０１乃至１０４の各々は、Ｅ−ＤＣＨ１１１乃至１１４を介して基地局１１０へデータを伝送する。
【０００７】
基地局１１０は、Ｅ−ＤＣＨを使用するＵＥ１０１乃至１０４のデータバッファ状態、要請データ伝送率、又は、チャンネル状況情報を参照して各ＵＥにＥ−ＤＣＨデータが伝送されることができるか否かを通知するか、又は、Ｅ−ＤＣＨデータ伝送率を調整するスケジューリング動作を遂行する。スケジューリング動作は、システム全体の性能を向上させるために、基地局１１０の測定雑音増加（Noise Rise）値が目標値を超えないようにしつつ、基地局１１０から遠く離れたＵＥ（例えば、１０３及び１０４）には、低いデータ伝送率を割り当て、基地局１１０に近く位置したＵＥ（例えば、１０１及び１０２）には、高いデータ伝送率を割り当てる方式にて遂行されることができる。
【０００８】
図２は、従来のＥ−ＤＣＨを介した送受信手順を示すメッセージフロー図である。
図２を参照すると、ステップ２０２で、基地局及びＵＥは、Ｅ−ＤＣＨを設定する。ステップ２０２は、専用伝送チャンネル（dedicated transport channel）を介したメッセージの伝送過程を含む。Ｅ−ＤＣＨの設定が完了されると、ステップ２０４で、ＵＥは、基地局にスケジューリング情報を通知する。上記スケジューリング情報は、逆方向チャンネル情報を示すＵＥ送信電力情報、ＵＥが送信することができる余分の電力情報、ＵＥのバッファに貯蔵されている送信されるべきデータ量を含むことができる。
【０００９】
ステップ２０６で、通信中である複数のＵＥからスケジューリング情報を受信した基地局は、各ＵＥのデータ伝送をスケジューリングするために上記複数のＵＥのスケジューリング情報をモニタリングする。具体的に、ステップ２０８で、基地局は、ＵＥに逆方向パケット伝送を許容することに決定し、ＵＥにスケジューリング割当て（Scheduling Assignment）情報を伝送する。上記スケジューリング割当て情報は、許容されたデータ伝送率及び伝送が許容されたタイミングなどを含む。
【００１０】
ステップ２１０で、ＵＥは、上記スケジューリング割当て情報を用いて上りリンクを介して伝送されるＥ−ＤＣＨの伝送形式（Transport format；ＴＦ）を決定し、ステップ２１２及びステップ２１４で、Ｅ−ＤＣＨを介して上りリンク（ＵＬ）パケットデータを上記ＴＦ情報とともに基地局へ伝送する。ここで、上記ＴＦ情報は、Ｅ−ＤＣＨを復調するのに必要な情報を示す伝送形式資源指示子（Transport Format Resource Indicator；以下、ＴＦＲＩと称する）を含む。このとき、ステップ２１４で、ＵＥは、基地局が割り当てたデータ伝送率及びチャンネル状態を考慮してＭＣＳレベルを選択し、上記ＭＣＳレベルを使用して上記上りリンクパケットデータを伝送する。
【００１１】
ステップ２１６で、基地局は、上記ＴＦ情報及び上記パケットデータにエラーがあるか否かを判断する。ステップ２１８で、基地局は、上記判断の結果、上記ＴＦ情報及び上記パケットデータのうちのいずれか１つでもエラーがある場合、ＮＡＣＫ（Non-Acknowledge）情報をＵＥへ伝送する。一方、上記ＴＦ情報及び上記パケットデータのすべてにエラーがない場合は、ＡＣＫ（Acknowledge）情報をＡＣＫ／ＮＡＣＫチャンネルを介してＵＥへ伝送する。ＡＣＫ情報が伝送される場合、パケットデータの伝送が完了されたため、ＵＥは、新たなユーザデータをＥ−ＤＣＨを介して伝送するが、ＮＡＣＫ情報が伝送される場合、ＵＥは、同一のパケットデータをＥ−ＤＣＨを介して再伝送する。
【００１２】
上述したように動作する基地局制御スケジューリングは、ＵＥの通話品質の劣化を防止しつつも、システム全体の性能を向上させる方向に遂行されなければならない。また、基地局がＥ−ＤＣＨのスケジューリングを効率的に遂行するためには、ＵＥのバッファ状態及び電力状態のような正確なスケジューリング情報を受信しなければならない。従って、基地局のサービス領域内に位置する複数のＵＥがスケジューリング情報を基地局にさらに効率的であり正確に伝送することができる方法を必要とする。
【発明の開示】
【発明が解決しようとする課題】
【００１３】
上記背景に鑑みて、本発明の目的は、上りリンク専用チャンネルを介したパケットサービスにおいて、ＵＥがスケジューリングに必要なスケジューリング情報をＥ−ＤＣＨを介して伝送する場合、伝送電力を通常のＥ−ＤＣＨデータの場合よりも高く設定することによって、スケジューリングの効率性を向上させる方法及び装置を提供することにある。
本発明の他の目的は、Ｅ−ＤＣＨを介したスケジューリング情報の送信に際して、遅延時間を最小化するために、スケジューリング情報を含むＥ−ＤＣＨデータの伝送電力を一般的なＥ−ＤＣＨデータよりも高く設定する方法及び装置を提供することにある。
【課題を解決するための手段】
【００１４】
このような目的を達成するために、本発明の１つの特徴によれば、通信システムにおいて、向上した上りリンクパケットデータサービスのためのシグナリング情報を伝送する方法は、上記向上した上りリンクパケットデータサービスのためのシグナリング情報を含み、上記向上した上りリンク専用チャンネル（Ｅ−ＤＣＨ）を介して伝送する媒体アクセス制御プロトコルデータユニット（ＭＡＣ−ｅＰＤＵ）を生成するステップと、上記ＭＡＣ−ｅＰＤＵを伝送するための伝送フォーマットに相応する第１の電力利得にあらかじめ決定された電力オフセットを適用して第２の電力利得を設定するステップと、上記第２の電力利得を用いて上記ＭＡＣ−ｅＰＤＵを上記向上した上りリンク専用チャンネルを介して伝送するステップとを含むことを特徴とする。
【００１５】
本発明の他の特徴によれば、通信システムにおいて、向上した上りリンクパケットデータサービスのためのシグナリング情報を伝送する装置は、上記向上した上りリンクパケットデータサービスのためのシグナリング情報を含み、上記向上した上りリンク専用チャンネル（Ｅ−ＤＣＨ）を介して伝送される媒体アクセス制御プロトコルデータユニット（ＭＡＣ−ｅＰＤＵ）を生成するパケットデータ生成器と、上記ＭＡＣ−ｅＰＤＵを伝送するための伝送フォーマットに相応する第１の電力利得にあらかじめ決定された電力オフセットを適用して、第２の電力利得を設定する利得因子決定器と、上記第２の電力利得を用いて上記ＭＡＣ−ｅＰＤＵを上記向上した上りリンク専用チャンネルを介して伝送するデータチャンネル送信器とを含むことを特徴とする。
【００１６】
本発明のまた他の特徴によれば、通信システムにおいて、向上した上りリンクパケットデータサービスのためのシグナリング情報を伝送する方法は、向上した上りリンク専用チャンネル（Ｅ−ＤＣＨ）を介して伝送される媒体アクセス制御プロトコルデータユニット（ＭＡＣ−ｅＰＤＵ）を生成するステップと、上記ＭＡＣ−ｅＰＤＵのサービス品質（ＱｏＳ）を考慮して上記ＭＡＣ−ｅＰＤＵの伝送フォーマットに相応する電力利得を設定するステップと、上記設定された電力利得を用いて上記ＭＡＣ−ｅＰＤＵを上記向上した上りリンク専用チャンネル（Ｅ−ＤＣＨ）を介して伝送するステップとを含むことを特徴とする。
【００１７】
本発明のさらなる特徴によれば、通信システムにおいて、向上した上りリンクパケットデータサービスのためのシグナリング情報を伝送する方法は、向上した上りリンク専用チャンネル（Ｅ−ＤＣＨ）を介して伝送される媒体アクセス制御プロトコルデータユニット（ＭＡＣ−ｅＰＤＵ）を生成するステップと、上記ＭＡＣ−ｅＰＤＵのサービス品質（ＱｏＳ）を考慮して上記ＭＡＣ−ｅＰＤＵの伝送フォーマットに相応する電力利得を設定するステップと、上記設定された電力利得を用いて上記ＭＡＣ−ｅＰＤＵを上記向上した上りリンク専用チャンネル（Ｅ−ＤＣＨ）を介して伝送するステップとを含むことを特徴とする。
【発明の効果】
【００１８】
本発明は、Ｅ−ＤＣＨのためのスケジューリング情報を含むＭＡＣ−ｅ ＰＤＵシグナリング情報を他の物理チャンネルを使用せず、Ｅ−ＤＣＨを介して信頼性よく伝送することができるようにし、他の物理チャンネルによるＰＡＲ（Peak to Average Ratio）を防止しつつも、ＵＥの複雑性を増加させることなくスケジューリング情報を伝送することができる。また、通常のデータの伝送よりもさらに高い電力でＭＡＣ−ｅ ＰＤＵシグナリング情報を伝送し、これによって、シグナリング情報が遅延なく伝送されることができ、その結果、基地局によるスケジューリングの正確度を高める、という効果がある。
【発明を実施するための最良の形態】
【００１９】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。そして、後述する用語は、本発明での機能を考慮して定義された用語であり、これは、使用者及び運用者の意図又は慣例に従って変わっても良い。従って、その用語は、本発明の全体の内容に基づいて定義されなければならない。
【００２０】
まず、本発明に適用される広帯域符号分割多重接続（ＷＣＤＭＡ）通信システムでＵＥと基地局との間のインターフェースについて説明する。
ＵＥと基地局との間の無線インターフェースは、Ｕｕインターフェースと称される。Ｕｕインターフェースは、制御信号を交換するために使用される制御プレーン（Control Plane）と実際にデータを伝送するために使用されるユーザプレーン（User Plane）とに区分される。
制御プレーンは、ＲＲＣ（Radio Resource Control）階層、ＲＬＣ（Radio Link Control）階層、ＭＡＣ（Media Access Control）階層、及び物理（Physical；以下、ＰＨＹと称する）階層を含み、ユーザプレーンは、ＰＤＣＰ（Packet Data Control Protocol）階層、ＢＭＣ（Broadcast／Multicast Control）階層、ＲＬＣ階層、ＭＡＣ階層、及びＰＨＹ階層を含む。上記階層のうちのＰＨＹ階層は、各基地局又はセルに位置し、ＭＡＣ階層からＲＲＣ階層までは、ＲＮＣ（Radio Network Controller）に位置する。このとき、ＭＡＣ階層は、その役割に従って基地局及びＲＮＣのそれぞれに位置して良い。
【００２１】
ＰＨＹ階層は、無線伝送（Radio Transfer）技術を用いた情報伝送サービスを提供する階層であり、ＯＳＩ（Open Systems Interconnection）モデルの第１の階層に該当する。ＰＨＹ階層は、伝送チャンネル（Transport Channels）を介してＭＡＣ階層に接続され、伝送チャンネルは、特定のデータがＰＨＹ階層で処理される方式によって定義される。上記伝送チャンネルは、畳込みチャンネル符号化（convolutional channel encoding）、インターリービング（Interleaving）、及びサービス固有伝送率整合（service-specific rate matching）のような処理方式を規定する伝送フォーマット（Transport Format；ＴＦ）によって決定される特性を有する。複数の伝送チャンネルがマッピングされるＰＨＹチャンネルの伝送形式は、可能な複数の伝送フォーマット組合せ（Transport Format Combinations；ＴＦＣｓ）のうちの１つを指示する伝送フォーマット組合せ指示子（TFC Indicator；ＴＦＣＩ）で示される。
【００２２】
ＭＡＣ階層及びＲＬＣ階層は、論理チャンネルを介して接続されている。ＭＡＣ階層は、論理チャンネルを介してＲＬＣ階層が伝達したデータを適切な伝送チャンネルを介してＰＨＹ階層へ伝送し、ＰＨＹ階層が伝送チャンネルを介して伝達したデータを適切な論理チャンネルを介してＲＬＣ階層へ伝送する機能を遂行する。また、ＭＡＣ階層は、論理チャンネル又は伝送チャンネルを介して伝達されたデータに付加情報を挿入するか、又は、上記挿入された付加情報を解析した後適切な動作を遂行し、ランダムアクセス動作を制御する。このようなＭＡＣ階層において、ユーザプレーンに関連した部分は、ＭＡＣ−ｄ個体と称され、制御プレーンに関連した部分は、ＭＡＣ−ｃ個体と称される。
【００２３】
本発明の実施形態に関連して、Ｅ−ＤＣＨの制御及びＥ−ＤＣＨを介したデータ伝送を担当する部分は、ＭＡＣ−ｅ個体と称される。ＭＡＣ−ｅ個体は、ＰＨＹ階層とＭＡＣ−ｄ階層との間でＥ−ＤＣＨを処理するＭＡＣ階層である。すなわち、Ｅ−ＤＣＨのデータは、ＲＬＣ階層とＭＡＣ−ｄ個体及びＭＡＣ−ｅ個体とを介してＰＨＹ階層へ伝送される。ＭＡＣ−ｅ個体から出力されたＥ−ＤＣＨのデータは、ＭＡＣ−ｅＰＤＵ（Protocol Data Unit）と称される。ＭＡＣ−ｅＰＤＵは、他の専用チャンネルのＰＤＵと同様に、ユーザデータ及びシグナリング情報のうちの少なくとも１つを含むことができる。上記シグナリング情報は、代表的に、バッファ状態及び伝送電力状態のようなスケジューリング情報を含む。上記シグナリング情報及びスケジューリング情報は、本発明で同一の意味を有する。しかしながら、実際に、シグナリング情報は、スケジューリング情報の以外に付加情報をさらに含むことができることに留意しなければならない。
【００２４】
ＲＬＣ階層は、論理チャンネルの設定及び解除を担当する。ＲＬＣ階層は、３つの動作モード、すなわち、ＡＭ（Acknowledge Mode）、ＵＭ（Unacknowledge Mode）、及びＴＭ（Transparent Mode）のうちの１つで動作することができる。ＲＬＣ階層は、動作モードごとに相互に異なる機能を提供する。一般的に、ＲＬＣ階層は、上位階層から伝送されたサービスデータユニット（Service Data Unit；以下、ＳＤＵと称する）を適切な大きさを有するユニットに分割し、上記分割されたユニットを組み立ててエラーを訂正する機能を遂行する。
【００２５】
ＰＤＣＰ階層は、ユーザプレーンでＲＬＣ階層の上位に位置し、ＩＰパケット形態で伝送されたデータのヘッダーを圧縮して復元する機能と、ＵＥの移動性によって特定のＵＥにサービスを提供するＲＮＣが変更される状況下でデータを損失なく伝送する機能と、を遂行する。
【００２６】
上述したように、Ｗ−ＣＤＭＡ通信システムで使用される向上した上りリンク専用チャンネル（以下、Ｅ−ＤＣＨと称する）は、ＨＡＲＱ、ＡＭＣ、基地局制御スケジューリングなどを支援する。基地局の使用可能なすべての資源を時間区間ごとに最適に選択されたＵＥに割り当てるＥ−ＤＣＨのようなスケジューリングチャンネルにおいて、基地局制御スケジューリングを効率的に遂行するために、ＵＥは、ＵＥのバッファ状態及び伝送電力状態のようなスケジューリング情報を基地局へ伝送しなればならない。スケジューリング情報を伝送する方法のうちの可能な１つは、Ｅ−ＤＣＨのシグナリング情報伝送機能を使用する。
【００２７】
図３は、基地局とＵＥとの間にＥ−ＤＣＨを介したバッファ情報の伝送を示す図である。
図３を参照すると、ＵＥのＭＡＣ−ｅ個体３０２は、バッファ情報３０６を含むＭＡＣ−ｅＰＤＵを生成してＥ−ＤＣＨを介して基地局へ伝送し、基地局のＭＡＣ−ｅ個体３０４は、上記ＭＡＣ−ｅＰＤＵに含まれたバッファ情報３０６を読み出して基地局スケジューラーが使用することができるように伝送する。Ｅ−ＤＣＨは、ＨＡＲＱ技術を支援するので、ＵＥは、スケジューリング情報を含むＭＡＣ−ｅＰＤＵの伝送にエラーが発生してＮＡＣＫを受信した場合、又は、ＡＣＫを受信しなかった場合に、ＵＥは、上記スケジューリング情報を含むＭＡＣ−ｅＰＤＵを再伝送する。上記再伝送されたスケジューリング情報は、再伝送時点でさらに測定された値を含んでも良く、又は、使用者の選択に従って初期伝送のときに伝送された値をさらに含んでも良い。
【００２８】
上述したように、スケジューリング情報をＰＨＹ階層シグナリングの代わりに、ＭＡＣ−ｅ階層シグナリングを使用して伝送すると、ＰＨＹ階層スロットフォーマットを別途に定義する必要なく伝送される情報のサイズを可変的に決定することによって、上記スケジューリング情報の伝送を弾力的に支援することができる。ＵＥは、サービスの種類に従って異なる優先順位、すなわち、要求されるサービス品質（Quality of Service；以下、ＱｏＳと称する）及び大きさを有するデータをそれぞれ異なるバッファ（優先順位キューと称する）に区別して貯蔵する。ＵＥは、スケジューリング周期ごとにすべてのバッファの状態を報告せず、データを受信するバッファ状態のみを伝送し、これによって、シグナリングオーバーヘッドを低減させる。また、ＭＡＣ−ｅシグナリングの場合には、バッファ情報の以外にも、電力情報又は他の必要なスケジューリング情報の伝送を可能にする。
【００２９】
図４は、基地局制御スケジューリングに必要なスケジューリング情報を含むＭＡＣ−ｅＰＤＵの構成を示す図である。図４を参照すると、ＭＡＣ−ｅＰＤＵは、ＭＡＣ−ｅヘッダー４０２及び少なくとも１つのＭＡＣ−ｅＳＤＵ（Service Data Unit）４０４を含む。ここで、ＭＡＣ−ｅＳＤＵ４０４は、実際に伝送されるＥ−ＤＣＨデータを意味する。従って、ＭＡＣ−ｅヘッダー４０２は、ＭＡＣ−ｅＰＤＵのヘッダーに位置する情報の代わりに、Ｅ−ＤＣＨデータではないすべての情報を意味するものであることに留意されたい。ＭＡＣ−ｅヘッダー４０２に含まれた主なパラメータについて説明すると、下記の通りである。
【００３０】
バージョンフラグ（Version Flag）４０６は、ＭＡＣ−ｅＰＤＵフォーマットの拡張された使用を指定するフラグであって、通常０に設定される。３ビットのキュー識別子（Queue ID）４０８は、ＭＡＣ−ｅＳＤＵの優先順位キュー（Priority Queue）の識別子である。伝送シーケンス番号（Transmission Sequence Number；以下、‘ＴＳＮ’と称する）４１０は、優先順位キューでＭＡＣ−ｅＳＤＵが再整列（re-ordering）されるときに使用される５ビット乃至６ビットの一連番号である。ＳＩＤ＿ｋ４１２は、ＭＡＣ−ｅＰＤＵを構成するＭＡＣ−ｅＳＤＵ集合のうち、ｘ番目のＭＡＣ−ｅＳＤＵ集合に属するＭＡＣ−ｄＳＤＵの大きさを示す２ビット乃至３ビット値である。Ｎｋ４１４は、ｘ番目のＭＡＣ−ｅＳＤＵ集合に属するＭＡＣ−ｄＳＤＵの個数を示す７ビット値である。Ｆ（Flag）ｋ４１６は、１に設定される場合には、次のフィールドがＭＡＣ−ｅＳＤＵであることを示し、０に設定される場合には、次のフィールドがＳＩＤであることを示す。
【００３１】
キュー識別子マップ（Queue ID map）４１８及びバッファペイロード（buffer payload）４２０は、バッファ状態情報４２２を示す。キュー識別子マップ４１８は、データを含む優先順位キュー及びデータを含まない優先順位キューを区別するためのマップであって、優先順位キューの個数に該当するビット数を有する。マップ４１８で、１は、データが存在することを意味し、０は、データが存在しないことを意味する。バッファペイロード４２０は、キュー識別子マップ４１８の値が１である優先順位キューに貯蔵されているデータの大きさを示す。ＵＥは、図４に示すようなＭＡＣ−ｅヘッダー４０２を介してデータが受信された優先順位キューのバッファ状態情報４２２を基地局へ伝送する。
【００３２】
一方、Ｅ−ＤＣＨサービスは、チャンネルの性能を向上させるためにＨＡＲＱ技術を支援する。このような場合、パケットデータの伝送電力は、最大再伝送の後にブロックエラー比率（Block error ratio；以下、ＢＬＥＲと称する）が一定の品質を保持できるように設定される。ＨＡＲＱが使用される場合、受信側がパケットデータを最大伝送回数まで反復して受信した後、複数のパケットをソフト結合（soft-combine）して復調するため、１つのパケットデータに対応する全体の受信電力の大きさは、ソフト結合を通過した後にのみ決定されたレベル以上に保持される。これは、大部分のパケットデータが最大伝送回数まで伝送される可能性があることを意味する。
【００３３】
このような状況でＭＡＣ−ｅシグナリングを遂行する場合の問題点を図５を参照して説明する。
図５を参照すると、時点５０２で、データがＵＥのバッファに到着すると、ＵＥは、送信可能なデータ伝送率に該当する資源を受信するために、時点５０４で、バッファ状態情報を含むＭＡＣ−ｅＰＤＵを介してバッファ状態を報告する。基地局は、上記バッファ状態を含むＭＡＣ−ｅＰＤＵを時点５０６で最初に受信する。上記ＭＡＣ−ｅＰＤＵを伝送するとき、時点５０６、５０８、及び５１０で、連続して受信エラーが発生すると、上記バッファ状態情報は、時点５１２で、基地局に正常に受信される。
【００３４】
２ｍｓの伝送時間間隔（Transmission Time Interval；以下、ＴＴＩ）を使用し、５個の並列ＨＡＲＱ処理が可能であり、最大伝送回数を４回に制限した場合、１つのＰＤＵに対する最大遅延時間は、一回の伝送を介したスケジューリング情報の受信に成功する場合に比べて、最大３０ｍｓだけさらに長くなる。言い換えれば、一番目の伝送を介してスケジューリング情報を受信するのに必要なＴ１（５１４）と最大伝送回数までの伝送を介してスケジューリング情報を受信するのに必要なＴ２（５１６）との遅延時間差は、最大３０ｍｓになることができる。
【００３５】
上述したように、上記スケジューリング情報を受信するのにかかるスケジューリング遅延時間が非常に長くなると、スケジューリングが実際に遂行される時点がＵＥの状態と一致しない。従って、送信の自体が失敗することがある。例えば、ＵＥのバッファに受信されたデータが遅延時間に大きく影響を受けるゲーミング（gaming）又はストリーミングデータである場合には、ＵＥが実時間に基地局の資源を受信し損なうと、データの送信品質に大きい悪影響を及ぶ。
このような問題点を解決するためには、本発明の実施形態では、スケジューリング情報のようなＭＡＣ−ｅシグナリング情報がＭＡＣ−ｅＰＤＵに含まれる場合、Ｅ−ＤＣＨの伝送電力を一般的なデータの伝送のときよりも高く設定し、ＭＡＣ−ｅシグナリング情報を含むＭＡＣ−ｅＰＤＵが一般的なデータを含む異なるＭＡＣ−ｅＰＤＵよりもさらに短い時間内に伝送されるようにする。ここで、一般的なデータは、シグナリング情報ではないユーザデータなどを意味する。
【００３６】
通常のパケットデータを正常に送信することができるように設定されたＥ−ＤＣＨの伝送電力をＰ＿ｄａｔａとすると、ＭＡＣ−ｅシグナリング情報を含むデータを伝送する際に、Ｅ−ＤＣＨの電力レベルであるＰ＿ｔｏｔａｌは、Ｐ＿ｄａｔａとＰ＿ｃｏｎｔｒｏｌとの和になるように設定される。ここで、Ｐ＿ｃｏｎｔｒｏｌは、正の電力レベル値である。これは、最大伝送回数までＭＡＣ−ｅＰＤＵを伝送する前に、一番目の伝送でＭＡＣ−ｅシグナリング情報を含むＭＡＣ−ｅＰＤＵの受信に成功する確率を高めるためである。
以下、ＭＡＣ−ｅシグナリング情報を伝送するために電力を設定するための２つの実施形態について説明する。
【００３７】
第１の実施形態
第１の実施形態は、一般的なＥ−ＤＣＨデータの伝送のために使用される利得因子（Gain Factor）に電力オフセット（power offset）を付加的に設定する。
上りリンク専用物理チャンネル（Up-link Dedicated Physical Channel；以下、ＵＬ−ＤＰＣＨと称する。）の初期伝送電力レベルは、ＲＮＣ内の上位階層によって割り当てられた後に、電力制御ループによって調節される。専用物理階層データチャンネル（Dedicated Physical Data Channel；以下、ＤＰＤＣＨと称する）と、上記ＤＰＤＣＨの接続及び解除に関連した制御情報を運搬する専用物理制御チャンネル（Dedicated Physical Control；以下、ＤＰＣＣＨと称する。）がＵＬ−ＤＰＣＨとして使用される場合、上記２つのチャンネル間の相対的な送信電力レベルは、利得因子によって決定される。
【００３８】
上記利得因子は、ＲＮＣによって計算されて上位階層シグナリングによってＵＥに通知されても良く、又は、ＲＮＣから割り当てられた基本利得因子値を用いてＵＥによって計算されても良い。本明細書では、ＵＥで上記利得因子を計算する場合について詳細に説明する。しかしながら、基地局が上記利得因子を計算して良いことは勿論である。すなわち、基地局は、ＵＥから伝送されたＥ−ＤＣＨの電力を認知するために下記の手順を遂行してよい。
【００３９】
Ｅ−ＤＣＨのような伝送チャンネルの利得因子は、低速から高速まで多様な速度を有するデータが伝送されることができるように、各伝送ブロック大きさ（Transport Block Size；ＴＢＳ）に従って設定される。下記表１は、各ＴＢＳに従って利得因子が設定される一形態を示す。
【００４０】
【表１】
2005323367.tif 000003
【００４１】
表１において、ＴＢＳが大きいほど割り当てられる利得因子値は、大きくなる。ＨＡＲＱが使用される場合、表１の利得因子値βｅ＿１、βｅ＿２、βｅ＿３、及びβｅ＿４は、受信側で最大伝送回数まで受信されたデータをソフト結合した後のＢＬＥＲが適切なレベルを保持できるように設定される。
【００４２】
ＭＡＣ−ｅＰＤＵにスケジューリング情報のようなＭＡＣ−ｅシグナリング情報が含まれた場合、上記利得因子値は、下記式(17)のように変形される。
【００４３】
【数１】
2005323367.tif 000004
【００４４】
ここで、βｅ＿ｘは、ｘ番目のＴＢＳに該当する所定の基本利得因子値を示し、βｅ＿ｘ’は、実際に適用される変形された利得因子値を示す。また、Δ＿ｏｆｆは、スケジューリング情報のようなＭＡＣ−ｅシグナリング情報を含むＭＡＣ−ｅＰＤＵを運搬する伝送チャンネルの利得因子を設定するための電力オフセットを示し、上位シグナリングによって設定されるか、あらかじめ決定された固定値である。
【００４５】
図６は、本発明の第１の実施形態に従ってＵＥがＥ−ＤＣＨの電力を設定する手順を示すフロー図である。図６に示す手順は、ＵＥのＭＡＣ−ｅ個体によって遂行される。しかしながら、説明の便宜のために、ＵＥによって遂行されるもので説明した。
図６を参照すると、ステップ６０２で、伝送されるＭＡＣ−ｅＰＤＵが発生する。ステップ６０４で、ＵＥは、上記伝送されるＭＡＣ−ｅＰＤＵのＴＢＳに従って基本利得因子を設定する。表１に示す例の場合、伝送されるＴＢＳが１００の値を有すると、βｅ＿３が選択される。ステップ６０６で、ＵＥは、伝送されるＭＡＣ−ｅシグナリング情報が存在するか、すなわち、スケジューリング情報のようなＭＡＣ−ｅシグナリング情報が上記ＭＡＣ−ｅＰＤＵに含まれるか否かを判断する。上記ＭＡＣ−ｅシグナリング情報を伝送しない場合、Δ＿ｏｆｆは、０の値を有し、ＵＥは、ステップ６１０のように、上記設定された基本利得因子値をそのまま使用する。一方、上記ＭＡＣ−ｅシグナリング情報が上記ＭＡＣ−ｅＰＤＵに含まれた場合、ＵＥは、ステップ６０８で、上記設定された基本利得因子値に所定のΔ＿ｏｆｆを適用し、最終的な利得因子値を計算する。上述したように、ステップ６０８及びステップ６１０で利得因子値が決定されると、ステップ６１２で、上記ＭＡＣ−ｅＰＤＵは、上記決定された利得因子値に該当する電力レベルで伝送される。
【００４６】
ＵＥは、Ｅ−ＤＣＨの伝送に使用される利得因子を別途のＰＨＹ階層シグナリングを介して基地局へ通知することができる。このように、ＵＥがデータの伝送に使用される利得因子を基地局に通知する場合、基地局は、該当データの再伝送が発生した場合、次のＨＡＲＱプロセッシングタイミングで受信された電力を正確に推定することができるので、 さらに正確なスケジューリングを遂行することができる。
【００４７】
Ｅ−ＤＣＨの利得因子値は、同一のＴＢＳに対して、ＭＡＣ−ｅＰＤＵがＭＡＣ−ｅシグナリング情報を含まない場合及びＭＡＣ−ｅシグナリング情報を含む場合にそれぞれ変わるので、ＵＥは、ＭＡＣ−ｅＰＤＵがＰＨＹ階層シグナリングを介してＭＡＣ−ｅシグナリング情報を含むか否かを示すシグナリング指示子を基地局に通知する。ここで、ＰＨＹ階層シグナリングは、Ｅ−ＤＣＨがマッピングされる向上したＤＰＤＣＨ（Enhanced DPDCH；Ｅ−ＤＰＤＣＨ）とは異なるチャンネルコードを使用して、上記Ｅ−ＤＰＤＣＨに関する制御情報を運搬するＥ−ＤＰＣＣＨを介して上記シグナリング指示子を伝送することを意味する。下記表２は、ＰＨＹ階層シグナリングを介して伝送されたＥ−ＤＣＨに関連した制御情報を示す。
【００４８】
【表２】
2005323367.tif 000005
【００４９】
表２に示すようなＰＨＹ階層シグナリング情報は、Ｅ−ＤＣＨのＴＢＳと、ＭＡＣ−ｅシグナリング指示子と、Ｅ−ＤＣＨに関連するＨＡＲＱ情報であるＲＶ（Redundancy Version）及びＮＤＩ（New Data Indicator）とを含む。ここで、必要な場合、上記ＰＨＹ階層シグナリング情報は、Ｅ−ＤＣＨの復調に関連して、符号化率及び変調方式に関する情報をさらに含んでも良い。
【００５０】
図７は、本発明の第１の実施形態に従ってスケジューリング情報を含むＭＡＣ−ｅＰＤＵを伝送するＵＥの送信装置を示すブロック図である。
図７を参照すると、ＭＡＣ−ｅ制御器７０２は、ＭＡＣ−ｅシグナリングを介して伝送されるスケジューリング情報のようなシグナリング情報をＭＡＣ−ｅＰＤＵ生成器７０６へ伝送する。ＭＡＣ−ｅＰＤＵ生成器７０６は、上記シグナリング情報をＥ−ＤＣＨデータを含む少なくとも１つ以上のＭＡＣ−ｅＳＤＵと結合してＭＡＣ−ｅＰＤＵを提供する。上記ＭＡＣ−ｅＰＤＵは、符号化器７０８、レートマッチング部（Rate Matching unit）７１０、及び変調器７１２を経て拡散器７１４によってＥ−ＤＰＤＣＨの拡散コードＣｅで拡散された後、利得制御器７１６によってＥ−ＤＣＨの利得因子βｅと乗じられる。ここで、装置７０８、７１０、７１２、７１４、及び７１６は、Ｅ−ＤＰＤＣＨ送信器を構成する。
【００５１】
上記利得因子は、利得因子決定器７０４によって決定される。利得因子決定器７０４は、ＭＡＣ−ｅ制御器７０２から上記Ｅ−ＤＣＨデータのＴＢＳを受信し、また、ＭＡＣ−ｅシグナリング情報がＭＡＣ−ｅ制御器７０２から提供されるか否かに関する情報を受信し、上述したような図６の手順に従って最終的な利得因子値を決定し、上記決定された利得因子値を利得制御器７１６へ提供する。
【００５２】
一方、ＭＡＣ−ｅ制御器７０２は、ＰＨＹ階層シグナリングを介して上記ＭＡＣ−ｅシグナリング情報を含むＭＡＣ−ｅＰＤＵが伝送されるか否かを示すシグナリング指示子を伝送するために、上記ＴＢＳ、上記シグナリング指示子、及びＥ−ＤＣＨに関連した制御情報をＥ−ＤＰＣＣＨ生成器７２０へ提供する。Ｅ−ＤＰＣＣＨ生成器７２０は、上記ＴＢＳ、上記シグナリング指示子、及び上記制御情報を含むＥ−ＤＰＣＣＨフレームを生成する。上記Ｅ−ＤＰＣＣＨフレームは、符号化器７２２及び変調器７２４を経て拡散器７２６によってＥ−ＤＰＣＣＨの拡散コードＣｅｃで拡散された後、利得制御器７２８によって上記Ｅ−ＤＰＣＣＨの利得因子βｅ，ｃと乗じられる。ここで、装置７２０、７２２、７２４、７２６、及び７２８は、Ｅ−ＤＰＣＣＨ送信器を構成する。
【００５３】
多重化器７１８は、利得制御器７１６及び７２８からの信号を多重化し、スクランブラー７３０は、多重化器７１８の出力を専用物理チャンネル（Dedicated Physical Channel；ＤＰＣＨ）に対応するスクランブリングコード Ｓｄｐｃｈ，ｎでスクランブリングする。スクランブラー７３０の出力は、ＲＦ（Radio Frequency）部７３２によってＲＦ信号に帯域変換された後、アンテナ７３４を介して基地局へ伝送される。
【００５４】
図８は、本発明の第１の実施形態に従ってスケジューリング情報を含むＭＡＣ−ｅＰＤＵを受信する基地局の受信装置を示すブロック図である。
図８を参照すると、アンテナ８０２で受信されてＲＦ部８０４によって基底帯域に変換されたＵＥの信号は、デスクランブラー８０６によって該当ＤＰＣＨに対応するスクランブリングコード Ｓｄｐｃｈ、ｎでデスクランブリングされた後、逆拡散器８０８及び８１６のそれぞれに提供される。
【００５５】
まず、Ｅ−ＤＰＣＣＨに関連した逆拡散器８０８は、デスクランブラー８０６の出力信号をＥ−ＤＰＣＣＨに対応する拡散コードＣｅｃを用いて逆拡散した後、復調器８１０を介してＥ−ＤＰＣＣＨ情報認識器８１２へ伝送する。Ｅ−ＤＰＣＣＨ情報認識器８１２は、復調器８１０から伝送された情報を解析し、ＴＢＳ、ＭＡＣ−ｅＰＤＵがＭＡＣ−ｅシグナリング情報を含むか否かを示すシグナリング指示子、ＨＡＲＱに関連した付加的な情報、及びＥ−ＤＣＨの復調に必要な制御情報を検出する。Ｅ−ＤＰＣＣＨ情報認識器８１２は、上記シグナリング指示子を用いてＭＡＣ−ｅＰＤＵがＭＡＣ−ｅシグナリング情報を含むか否かを判別し、上記判別の結果に従って、上記ＴＢＳに対応する利得因子情報を認識して基地局スケジューラー８１４へ伝送する。上記付加的な情報は、Ｅ−ＤＣＨの復調に関連した装置８２２及び８２４へ提供される。
【００５６】
Ｅ−ＤＣＨに関連した逆拡散器８１６は、デスクランブラー８０６の出力信号をＥ−ＤＣＨに対応する拡散コードＣｅを用いて逆拡散した後、復調器８１８を介して逆多重化器８２０へ伝送する。逆多重化器８２０は、複数のＥ−ＤＣＨが使用される場合、それぞれのＥ−ＤＣＨデータを分離する。上記Ｅ−ＤＣＨデータは、レートデマッチング（De-Rate Matching）部８２２及び復号器８２４を介してシグナリング情報検出器８２６へ入力される。
【００５７】
シグナリング情報検出器８２６は、上記ＭＡＣ−ｅＰＤＵからＭＡＣ−ｅシグナリング情報を検出する。このとき、シグナリング情報検出器８２６は、Ｅ−ＤＰＣＣＨ情報認識器８１２から受信されたシグナリング指示子を用いて、上記ＭＡＣ−ｅＰＤＵがＭＡＣ−ｅシグナリング情報であるスケジューリング情報を含むか否かを判別する。上記ＭＡＣ−ｅＰＤＵがＭＡＣ−ｅシグナリング情報であるスケジューリング情報を含んでいると、シグナリング情報検出器８２６は、上記ＭＡＣ−ｅＰＤＵに含まれたスケジューリング情報を基地局スケジューラー８１４へ伝送する。また、上記ＭＡＣ−ｅＰＤＵに含まれたＭＡＣ−ｅＳＤＵは、上記ＭＡＣ−ｅＳＤＵが元来の順序に再配列されることができるように、再配列バッファ（Reordering Buffer）８２８に貯蔵される。
【００５８】
基地局スケジューラー８１４は、Ｅ−ＤＰＣＣＨ情報認識器８１２から受信された利得因子情報、シグナリング情報検出器８２６から受信されたスケジューリング情報、及び他のＵＥから受信された情報を用いてスケジューリングを遂行し、必要な場合、基地局スケジューラー８１４は、スケジューリング割当て情報を伝送する。
【００５９】
第２の実施形態
第２の実施形態は、Ｅ−ＤＣＨを介して伝送されるデータのサービス優先順位別に従って異なる利得因子値を設定する。このとき、第２の実施形態は、ＭＡＣ−ｅシグナリング情報を有するＭＡＣ−ｅＰＤＵに対しては、相対的に高い利得因子を設定するか、又は、Ｅ−ＤＣＨに割り当てられることができる最大利得因子を設定する。
Ｅ−ＤＣＨは、複数のサービスを支援し、支援されるサービスの種類、すなわち、要求されるＱｏＳに従って要求される伝送遅延とＢＬＥＲが異なる。例えば、実時間プレイのためのゲーミングデータは、同一の大きさを有するＦＴＰ（File Transfer Protocol）データに比べてさらに短い時間内に伝送されなければならない。このような場合、ゲーミングサービスに該当するデータをＦＴＰサービスに該当するデータよりもさらに大きい初期伝送電力で伝送すると、ＦＴＰサービスに比べて平均伝送回数が減少する。従って、さらに小さい遅延時間内に伝送することが可能である。その結果、下記に説明する本発明の第２の実施形態は、データが同一の大きさを有するとしても、伝送されるサービスの種類に従って、表３に示すような異なる利得因子値を設定する。すなわち、第２の実施形態は、１つのＴＢＳ内に多様な利得因子値を設定する。
【００６０】
【表３】
2005323367.tif 000006
【００６１】
表３において、Ｔｒ．Ｃｈ．♯１、♯２、♯３は、相互に異なる種類のサービスを支援する伝送チャンネルを示し、βｅ＿１乃至βｅ＿９は、相互に異なる利得因子値を示す。すなわち、要求される伝送遅延及びＢＬＥＲのような異なる特性を有するサービスは、相互に異なる利得因子値を有する。従って、本発明の第２の実施形態は、ＭＡＣ−ｅシグナリング情報を含むＭＡＣ−ｅＰＤＵを運搬する伝送チャンネルに対して他のサービスよりもさらに大きい利得因子値を割り当てる。
【００６２】
下記表４は、本発明の第２の実施形態に従って設定された利得因子値の一形態を示す。
【００６３】
【表４】
2005323367.tif 000007
【００６４】
表４において、βｅ＿１乃至βｅ＿１２は、相互に異なる利得因子値を示し、Ｔｒ．Ｃｈ．♯４は、ＭＡＣ−ｅシグナリング情報を含むＭＡＣ−ｅＰＤＵを運搬するためのサービスを示す。上記Ｔｒ．Ｃｈ．♯４に割り当てられた利得因子値βｅ＿１０乃至βｅ＿１２は、同一のＴＢＳに該当する他の伝送チャンネルの利得因子値よりも大きい値を有する。これは、ＭＡＣ−ｅシグナリング情報を含むＭＡＣ−ｅＰＤＵができるだけ再伝送なく成功的に受信されるようにするためである。
【００６５】
表４を参照すると、ＭＡＣ−ｅシグナリング情報を含むＭＡＣ−ｅＰＤＵは、Ｔｒ．Ｃｈ．♯４の利得因子を使用して伝送される。通常に、ＨＡＲＱが適用されると、優先順位が高いデータに必要な電力レベルもＭＡＣ−ｅシグナリングのＢＬＥＲ要求条件を満足させるための利得因子値よりも小さい値を有する。従って、Ｔｒ．Ｃｈ．♯４の利得因子値は、すべてのパケットデータのＢＬＥＲ要求条件を満足することができるように設定される。このとき、上記利得因子値βｅ＿１０乃至βｅ＿１２は、同一の値を有するように設定されることができる。すなわち、上記ＭＡＣ−ｅシグナリング情報を含むＭＡＣ−ｅＰＤＵは、ＴＢＳに無関係に相対的に高い利得因子を有することができる。
【００６６】
図９は、本発明の第２の実施形態に従ってシグナリング情報を含むＭＡＣ−ｅＰＤＵの利得因子を決定するＵＥの動作を示すフロー図である。
図９を参照すると、ステップ９０２で、伝送されるＭＡＣ−ｅＰＤＵが発生する。ステップ９０４で、ＵＥは、伝送されるシグナリング情報が存在するか、すなわち、上記ＭＡＣ−ｅＰＤＵにスケジューリング情報のようなＭＡＣ−ｅシグナリング情報が含まれたか否かを判断する。上記ＭＡＣ−ｅシグナリング情報を伝送する場合、ステップ９０６で、ＵＥは、ＭＡＣ−ｅシグナリング情報を含むＭＡＣ−ｅＰＤＵの伝送のためにさらに高い優先順位を有する伝送チャンネルを選択する。一方、ＭＡＣ−ｅシグナリング情報を伝送しない場合、ＵＥは、ステップ９０８で、上記ＭＡＣ−ｅＰＤＵのサービス種類を確認し、ステップ９１０で、上記サービス種類に対応する伝送チャンネルを選択する。ステップ９１２で、ＵＥは、ステップ９０６及びステップ９０８で選択された伝送チャンネルに従って上記ＭＡＣ−ｅＰＤＵのＴＢＳに対応する利得因子を選択する。そうすると、ステップ９１４で、上記ＭＡＣ−ｅＰＤＵは、上記選択された利得因子の値に該当する電力レベルで伝送される。
【００６７】
ＵＥは、上記ＭＡＣ−ｅシグナリング情報を含むＭＡＣ−ｅＰＤＵに対して使用された利得因子に関する情報をＰＨＹ階層シグナリングを介して基地局へ通知することができる。これは、パケットデータの再伝送が発生した場合に、基地局が次のＨＡＲＱプロセッシングタイミングで受信された電力を正確に予測することができるためである。本発明の第２の実施形態では、相互に異なるサービスが相互に異なる利得因子値を使用して伝送されるから、サービスの種類に対応する利得因子情報がシグナリングされなければならない。このために、ＵＥは、該当伝送チャンネルの利得因子の種類を示す伝送チャンネル識別子をＰＨＹ階層シグナリングを介して基地局へ通知する。下記表５は、本発明の第２の実施形態に従って、ＰＨＹ階層シグナリングを介して伝送されたＥ−ＤＣＨに関連した制御情報を示す。
【００６８】
【表５】
2005323367.tif 000008
【００６９】
表５に示すようなＰＨＹ階層シグナリング情報は、Ｅ−ＤＣＨのＴＢＳ、Ｅ−ＤＣＨのサービス種類を示す伝送チャンネル識別子（TrCh id）、及びＥ−ＤＣＨに関連したＨＡＲＱ情報であるＲＶとＮＤＩを含む。ここで、上記Ｅ−ＤＣＨのサービス種類及び利得因子の種類は、同一の意味を有する。必要な場合、上記ＰＨＹ階層シグナリング情報は、Ｅ−ＤＣＨの復調に関連した符号化率及び変調方式に関する情報をさらに含んでも良い。
【００７０】
図１０は、本発明の第２の実施形態に従ってスケジューリング情報を含むＭＡＣ−ｅＰＤＵを伝送するＵＥの送信装置を示すブロック図である。
図１０を参照すると、ＭＡＣ−ｅ制御器１００２は、ＭＡＣ−ｅシグナリングを介して伝送されるスケジューリング情報のようなシグナリング情報をＭＡＣ−ｅＰＤＵ生成器１００６へ伝送する。ＭＡＣ−ｅＰＤＵ生成器１００６は、上記シグナリング情報をＥ−ＤＣＨデータを含む少なくとも１つ以上のＭＡＣ−ｅＳＤＵと結合してＭＡＣ−ｅＰＤＵを構成する。上記ＭＡＣ−ｅＰＤＵは、符号化器１００８、レートマッチング部１０１０、及び変調器１０１２を経て、拡散器１０１４によってＥ−ＤＰＤＣＨの拡散コードＣｅで拡散された後、利得制御器１０１６によってＥ−ＤＣＨの利得因子βｅと乗じられる。
【００７１】
上記利得因子は、利得因子決定器１００４によって決定される。上記利得因子決定器１００４は、ＭＡＣ−ｅ制御器１００２から上記Ｅ−ＤＣＨデータのＴＢＳ及び伝送チャンネル識別子を受信し、上記ＴＢＳ及び上記伝送チャンネル識別子に対応する利得因子値を決定し、上記決定された利得因子値を利得制御器１０１６に提供する。
【００７２】
一方、ＭＡＣ−ｅ制御器１００２は、上記ＴＢＳ、上記伝送チャンネル識別子、及びＥ−ＤＣＨに関連した制御情報をＥ−ＤＰＣＣＨ生成器１０２０に提供する。Ｅ−ＤＰＣＣＨ生成器１０２０は、上記ＴＢＳ、上記伝送チャンネル識別子、及び上記制御情報を含むＥ−ＤＰＣＣＨフレームを生成する。上記Ｅ−ＤＰＣＣＨフレームは、符号化器１０２２及び変調器１０２４を経て、拡散器１０２６によってＥ−ＤＰＣＣＨの拡散コードβＣｅｃ で拡散された後、利得制御器１０２８によって上記Ｅ−ＤＰＣＣＨの利得因子βｅ，ｃと乗じられる。
【００７３】
多重化器（ＭＵＸ）１０１８は、利得制御器１０１６及び１０２８からの信号を多重化し、スクランブラー１０３０は、多重化器１０１８の出力をＤＰＣＨに対応するスクランブリングコードＳｄｐｃｈ，ｎでスクランブリングする。スクランブラー１０３０の出力は、ＲＦ部１０３２によってＲＦ信号に帯域変換された後、アンテナ１０３４を介して基地局へ伝送される。
【００７４】
図１１は、本発明の第２の実施形態に従ってスケジューリング情報を含むＭＡＣ−ｅＰＤＵを受信する基地局の受信装置を示すブロック図である。
図１１を参照すると、アンテナ１１０２に受信されてＲＦ部１１０４によって基底帯域信号に変換されたＵＥの信号は、デスクランブラー１１０６によって該当ＤＰＣＨに対応するスクランブリングコードＳｄｐｃｈ，ｎでデスクランブリングされた後、逆拡散器１１０８及び１１１６のそれぞれに提供される。
【００７５】
まず、Ｅ−ＤＰＣＣＨに関連した逆拡散器１１０８は、デスクランブラー１１０６の出力信号をＥ−ＤＰＣＣＨに対応する拡散コードＣｅｃを用いて逆拡散した後、復調器１１１０を介してＥ−ＤＰＣＣＨ情報認識器１１１２へ伝送する。Ｅ−ＤＰＣＣＨ情報認識器１１１２は、復調器１１１０から伝送された情報を解析して、上記ＴＢＳ、上記伝送チャンネル識別子、ＨＡＲＱに関連した付加的な情報、及びＥ−ＤＣＨの復調に必要な制御情報を検出する。Ｅ−ＤＰＣＣＨ情報認識器１１１２は、上記伝送チャンネル識別子によってＭＡＣ−ｅＰＤＵが運搬されたＥ−ＤＣＨの利得因子の種類を判別し、上記判別の結果に従って上記ＴＢＳに対応する利得因子情報を認識して基地局スケジューラー１１１４へ伝送する。上記付加的な情報は、Ｅ−ＤＣＨの復調に関連した装置１１２０、１１２２、１１２４、及び１１２６へ提供される。
【００７６】
次に、Ｅ−ＤＣＨに関連した逆拡散器１１１６は、デスクランブラー１１０６の出力信号をＥ−ＤＣＨに対応する拡散コードＣｅを用いて逆拡散した後、復調器１１１８を介して逆多重化器１１２０へ伝送する。逆多重化器１１２０は、複数のＥ−ＤＣＨが使用された場合、それぞれのＥ−ＤＣＨデータを分離する。上記Ｅ−ＤＣＨデータは、レートデマッチング部１１２２及び復号器１１２４を介してシグナリング情報検出器１１２６へ入力される。
【００７７】
シグナリング情報検出器１１２６は、上記ＭＡＣ−ｅＰＤＵからＭＡＣ−ｅシグナリング情報を検出する。このとき、シグナリング情報検出器１１２６は、Ｅ−ＤＰＣＣＨ情報認識器１１１２から受信された伝送チャンネル識別子を用いて、上記ＭＡＣ−ｅＰＤＵがＭＡＣ−ｅシグナリング情報であるスケジューリング情報を含むか否かを確認する。シグナリング情報検出器１１２６は、上記ＭＡＣ−ｅＰＤＵ内に含まれたスケジューリング情報を基地局スケジューラー１１１４へ伝送する。そして、上記ＭＡＣ−ｅＰＤＵに含まれたＭＡＣ−ｅＳＤＵは、元来の順序に再配列されることができるように、再配列バッファ（Reordering Buffer）１１２８に貯蔵される。
【００７８】
基地局スケジューラー１１１４は、Ｅ−ＤＰＣＣＨ情報認識器１１１２から受信された利得因子情報、シグナリング情報検出器１１２６から受信されたスケジューリング情報、及び他のＵＥから受信された情報を用いて、スケジューリングを遂行し、必要な場合、基地局スケジューラー１１１４は、スケジューリング割当て情報を伝送する。
【００７９】
以上、本発明を具体的な実施形態を参照して詳細に説明してきたが、本発明の範囲は上述の実施形態によって限られるべきではなく、本発明の範囲内で様々な変形が可能であるということは、当該技術分野における通常の知識を持つ者には明らかである。具体的に、本発明のまた他の実施形態では、ＭＡＣ−ｅＰＤＵが発生すると、上記ＭＡＣ−ｅＰＤＵの優先順位を判別して上記優先順位に対してあらかじめ決定された電力利得を設定した後、上記ＭＡＣ−ｅＰＤＵがＭＡＣ−ｅＰＤＵシグナリング情報を含む場合に、上記優先順位に従って設定された電力利得に所定の電力オフセット値を付加することによって、上記電力利得をさらに設定することができる。
【図面の簡単な説明】
【００８０】
【図１】従来の無線通信システムにおける上りリンクパケット伝送を示す図である。
【図２】従来の上りリンクパケットサービスの手順を概略的に示すフロー図である。
【図３】Ｅ−ＤＣＨのシグナリング手順を示す図である。
【図４】ＭＡＣ−ｅシグナリング情報を含むＭＡＣ−ｅＰＤＵの構成を示す図である。
【図５】データの再伝送によって制御情報の遅延を示す図である。
【図６】本発明の第１の実施形態によるシグナリング情報を含むＥ−ＤＣＨデータを伝送する手順を示すフロー図である。
【図７】本発明の第１の実施形態によるシグナリング情報を含むＥ−ＤＣＨデータを伝送する装置を示すフロー図である。
【図８】本発明の第１の実施形態によるシグナリング情報を含むＥ−ＤＣＨデータを受信する装置を示すフロー図である。
【図９】本発明の第２の実施形態によるシグナリング情報を含むＥ−ＤＣＨデータを伝送する手順を示すフロー図である。
【図１０】本発明の第２の実施形態によるシグナリング情報を含むＥ−ＤＣＨデータを伝送する装置を示すフロー図である。
【図１１】本発明の第２の実施形態によるシグナリング情報を含むＥ−ＤＣＨデータを受信する装置を示すフロー図である。
【符号の説明】
【００８１】
７０２    ＭＡＣ−ｅ制御器
７０４    利得因子決定器
７０６    ＭＡＣ−ｅＰＤＵ生成器
７０８、７２２    符号化器
７１０    レートマッチング部
７１２、７２４    変調器
７１４    拡散器
７１６    利得制御器
７１８    多重化器
７２０    Ｅ−ＤＰＣＣＨ生成器
【図１】
2005323367.tif 000013
【図２】
2005323367.tif 000014
【図３】
2005323367.tif 000015
【図４】
2005323367.tif 000016
【図５】
2005323367.tif 000017
【図６】
2005323367.tif 000018
【図７】
2005323367.tif 000019
【図８】
2005323367.tif 000020
【図９】
2005323367.tif 000021
【図１０】
2005323367.tif 000022
【図１１】
2005323367.tif 000023
【外国語明細書】
2005323367.tif 000024
2005323367.tif 000025
2005323367.tif 000026
2005323367.tif 000027
2005323367.tif 000028
2005323367.tif 000029
2005323367.tif 000030
2005323367.tif 000031
2005323367.tif 000032
2005323367.tif 000033
2005323367.tif 000034
2005323367.tif 000035
2005323367.tif 000036
2005323367.tif 000037
2005323367.tif 000038
2005323367.tif 000039
2005323367.tif 000040
2005323367.tif 000041
2005323367.tif 000042
2005323367.tif 000043
2005323367.tif 000044
2005323367.tif 000045
2005323367.tif 000046
2005323367.tif 000047
2005323367.tif 000048
2005323367.tif 000049
2005323367.tif 000050
2005323367.tif 000051
2005323367.tif 000052
2005323367.tif 000053
2005323367.tif 000054
2005323367.tif 000055
2005323367.tif 000056
2005323367.tif 000057
2005323367.tif 000058
2005323367.tif 000059
2005323367.tif 000060
2005323367.tif 000061
2005323367.tif 000062
2005323367.tif 000063
2005323367.tif 000064
2005323367.tif 000065
2005323367.tif 000066
2005323367.tif 000067